Podtech/llm-jp-corpus-v4-ja_patent huggingface dataset:
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
液体を噴射するヘッド本体と、
該ヘッド本体に液体を供給する液体流路を有する流路部材と、
該流路部材に保持されて、温度を検出する温度検出部が設けられた回路基板と、を具備し、
前記流路部材には、当該液体流路を画成する隔壁の一部に他の領域よりも熱抵抗が低い検出領域が設けられており、
前記回路基板は、前記検出領域に前記温度検出部が相対向した状態で前記流路部材に固定されていることを特徴とする液体噴射ヘッド。
【請求項２】
前記流路部材に設けられて前記液体流路に連通すると共に前記回路基板側に貫通した保持孔が設けられ、前記保持孔は前記流路部材よりも熱伝導率が高い封止部材で封止されて、当該封止部材が前記保持孔を封止した領域が前記検出領域となっていることを特徴とする請求項１記載の液体噴射ヘッド。
【請求項３】
前記封止部材は、前記保持孔の前記液体流路側の開口面に固定され、
前記液体流路の液体は、加圧により供給されることを特徴とする請求項２記載の液体噴射ヘッド。
【請求項４】
前記流路部材は、前記ヘッド本体からの液体が回収される回収流路を有し、
前記封止部材は、前記保持孔の前記回路基板側の開口面に固定され、
前記液体流路の液体は、前記回収流路からの吸引により供給されることを特徴とする請求項２記載の液体噴射ヘッド。
【請求項５】
前記検出領域は、フィルターが設けられたフィルター室よりも下流側に設けられていることを特徴とする請求項１〜４の何れか一項に記載の液体噴射ヘッド。  
【請求項６】
前記検出領域は、フィルターが設けられたフィルター室よりも上流側に設けられていることを特徴とする請求項１〜５何れか一項に記載の液体噴射ヘッド。
【請求項７】
前記温度検出部と前記検出領域とは、流体を介して接続されていることを特徴とする請求項１〜６の何れか一項に記載の液体噴射ヘッド。
【請求項８】
前記流体が、気体よりも熱伝導率が高い充填剤であることを特徴とする請求項７記載の液体噴射ヘッド。
【請求項９】
前記温度検出部と前記検出領域とは、直接接触していることを特徴とする請求項１〜６４の何れか一項に記載の液体噴射ヘッド。
【請求項１０】
前記回路基板が、前記検出領域に向かって付勢された状態で固定されていることを特徴とする請求項１〜９の何れか一項に記載の液体噴射ヘッド。
【請求項１１】
請求項１〜１０の何れか一項に記載の液体噴射ヘッドを具備することを特徴とする液体噴射装置。
【手続補正２】
【補正対象書類名】明細書
【補正対象項目名】００１０
【補正方法】変更
【補正の内容】
【００１０】
ここで、前記流路部材に設けられて前記液体流路に連通すると共に前記回路基板側に貫通した保持孔が設けられ、前記保持孔は前記流路部材よりも熱伝導率が高い封止部材で封止されて、当該封止部材が前記保持孔を封止した領域が前記検出領域となっていることが好ましい。これによれば、熱抵抗が低い検出領域を流路部材の材料を変更することなく、熱伝導率が高い封止部材で容易に形成することができるため、コストを低減するこができる。
また、前記封止部材は、前記保持孔の前記液体流路側の開口面に固定され、前記液体流路の液体は、加圧により供給されること、あるいは、前記流路部材は、前記ヘッド本体からの液体が回収される回収流路を有し、前記封止部材は、前記保持孔の前記回路基板側の開口面に固定され、前記液体流路の液体は、前記回収流路からの吸引により供給されることが好ましい。これらによれば、封止部材の剥離を抑制して、液体の回路基板側への漏出を抑制することができる。
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域内に、扉部材を開閉可能に備えた大入賞装置が設けられているとともに、遊技に係る動作を制御する制御装置と、前記制御装置による制御のもと報音動作が制御されるスピーカと、前記スピーカによる報音動作態様である報音パターンを複数パターン記憶する報音パターン記憶手段とが設けられており、
前記制御装置は、所定の抽選条件が充足されると少なくとも１つの乱数から１つの数値を取得するとともに、当該取得数値にもとづき所定の大当たり条件が充足されると前記大入賞装置を断続的に開成させる大当たり状態を生起させ、前記大当たり状態中において、前記報音パターン記憶手段に記憶されている所定の大当たり報音パターンにより前記スピーカの報音動作を制御する一方、
前記抽選条件の充足にもとづき取得した数値を保留情報として所定数まで記憶するとともに、前記保留情報を所定の順序で消化するパチンコ機であって、
前記制御装置は、前記大当たり状態中に前記スピーカでの報音パターンを切り替える音切替手段と、前記保留情報を参照して前記大当たり条件が充足される特定保留情報が存在するか否かを判定する判定手段とを有しており、
前記判定手段が、今回の大当たり状態の終了後に消化される前記保留情報の中に、前記特定保留情報が存在すると判定すると、前記音切替手段が、前記今回の大当たり状態中の特定のタイミングにおいて、前記スピーカにおける報音パターンを前記大当たり報音パターンとは異なる特定の報音パターンに切り替えるとともに、前記制御装置が、前記今回の大当たり状態が終了した後も、前記特定保留情報の消化に応じた次回の大当たり状態が生起するまでの所定のタイミングに至るまで、前記特定の報音パターンにより前記スピーカの報音動作を制御することを特徴とするパチンコ機。
【請求項２】
前記遊技領域内に、図柄を表示可能な図柄表示部が設けられており、
前記制御装置は、前記抽選条件が充足されると少なくとも２つの乱数から夫々１つの数値を取得するとともに、当該取得数値にもとづき少なくとも前記図柄の確定表示態様と前記図柄の変動時間とを決定し、前記図柄の変動を開始させた後、決定した変動時間が経過すると決定した確定表示態様で前記図柄を確定表示させ、前記図柄を所定の大当たり図柄表示態様にて確定表示させたことにもとづいて前記大当たり状態を生起させるパチンコ機であって、
前記判定手段が、前記保留情報を参照し、前記取得数値にもとづき決定される前記図柄の確定表示態様が前記大当たり図柄表示態様となる前記特定保留情報が存在するか否かを判定し、前記音切替手段が、報音パターンを前記特定の報音パターンに切り替えると、前記制御装置が、前記今回の大当たり状態が終了した後、前記特定保留情報を消化する際の前記図柄の変動開始から前記図柄の確定表示までの間の所定のタイミングに至るまで、前記特定の報音パターンにより前記スピーカの報音動作を制御することを特徴とする請求項１に記載のパチンコ機。
【手続補正２】
【補正対象書類名】明細書
【補正対象項目名】０００６
【補正方法】変更
【補正の内容】
【０００６】
上記目的を達成するために、本発明のうち請求項１に記載の発明は、遊技球が流下可能な遊技領域内に、扉部材を開閉可能に備えた大入賞装置が設けられているとともに、遊技に係る動作を制御する制御装置と、前記制御装置による制御のもと報音動作が制御されるスピーカと、前記スピーカによる報音動作態様である報音パターンを複数パターン記憶する報音パターン記憶手段とが設けられており、前記制御装置は、所定の抽選条件が充足されると少なくとも１つの乱数から１つの数値を取得するとともに、当該取得数値にもとづき所定の大当たり条件が充足されると前記大入賞装置を断続的に開成させる大当たり状態を生起させ、前記大当たり状態中において、前記報音パターン記憶手段に記憶されている所定の大当たり報音パターンにより前記スピーカの報音動作を制御する一方、前記抽選条件の充足にもとづき取得した数値を保留情報として所定数まで記憶するとともに、前記保留情報を所定の順序で消化するパチンコ機であって、前記制御装置は、前記大当たり状態中に前記スピーカでの報音パターンを切り替える音切替手段と、前記保留情報を参照して前記大当たり条件が充足される特定保留情報が存在するか否かを判定する判定手段とを有しており、前記判定手段が、今回の大当たり状態の終了後に消化される前記保留情報の中に、前記特定保留情報が存在すると判定すると、前記音切替手段が、前記今回の大当たり状態中の特定のタイミングにおいて、前記スピーカにおける報音パターンを前記大当たり報音パターンとは異なる特定の報音パターンに切り替えるとともに、前記制御装置が、前記今回の大当たり状態が終了した後も、前記特定保留情報の消化に応じた次回の大当たり状態が生起するまでの所定のタイミングに至るまで、前記特定の報音パターンにより前記スピーカの報音動作を制御することを特徴とする。
請求項２に記載の発明は、請求項１に記載の発明において、前記遊技領域内に、図柄を表示可能な図柄表示部が設けられており、前記制御装置は、前記抽選条件が充足されると少なくとも２つの乱数から夫々１つの数値を取得するとともに、当該取得数値にもとづき少なくとも前記図柄の確定表示態様と前記図柄の変動時間とを決定し、前記図柄の変動を開始させた後、決定した変動時間が経過すると決定した確定表示態様で前記図柄を確定表示させ、前記図柄を所定の大当たり図柄表示態様にて確定表示させたことにもとづいて前記大当たり状態を生起させるパチンコ機であって、前記判定手段が、前記保留情報を参照し、前記取得数値にもとづき決定される前記図柄の確定表示態様が前記大当たり図柄表示態様となる前記特定保留情報が存在するか否かを判定し、前記音切替手段が、報音パターンを前記特定の報音パターンに切り替えると、前記制御装置が、前記今回の大当たり状態が終了した後、前記特定保留情報を消化する際の前記図柄の変動開始から前記図柄の確定表示までの間の所定のタイミングに至るまで、前記特定の報音パターンにより前記スピーカの報音動作を制御することを特徴とする。
【手続補正３】
【補正対象書類名】明細書
【補正対象項目名】０００７
【補正方法】変更
【補正の内容】
【０００７】
本発明によれば、判定手段が、今回の大当たり状態の終了後に消化される保留情報の中に、特定保留情報が存在すると判定すると、音切替手段が、今回の大当たり状態中の特定のタイミングにおいて、スピーカにおける報音パターンを大当たり報音パターンとは異なる特定の報音パターンに切り替えるとともに、制御装置が、今回の大当たり状態が終了した後も、特定保留情報の消化に応じた次回の大当たり状態が生起するまでの所定のタイミングに至るまで、特定の報音パターンによりスピーカの報音動作を制御する。したがって、従来にない斬新な報知が可能である上、「大当たり状態」の終了後におけるスピーカでの報音動作態様が多様な遊技性の高いパチンコ機とすることができる。
【手続補正書】
【提出日】平成27年2月2日(2015.2.2)
【手続補正１】
【補正対象書類名】明細書
【補正対象項目名】００１２
【補正方法】変更
【補正の内容】
【００１２】
＜請求項２記載の発明＞
少なくとも一部の前記接合個所は、前記識別部位置に対応しており、
前記両シートを分離した段階で、前記対応位置において、前記接合個所が前記識別部の連続性を分離するようにした請求項１記載の使い捨て吸収性物品。
【手続補正２】
【補正対象書類名】明細書
【補正対象項目名】００１４
【補正方法】変更
【補正の内容】
【００１４】
＜請求項３記載の発明＞
少なくとも一部の前記接合個所は、前記識別部位置に対応しており、
前記両シートを分離した段階で、前記対応位置において、一方のシートが破断するとともに、前記識別部の連続性が分離するようにした請求項１記載の使い捨て吸収性物品。
【手続補正３】
【補正対象書類名】特許請求の範囲
【補正対象項目名】請求項２
【補正方法】変更
【補正の内容】
【請求項２】
少なくとも一部の前記接合個所は、前記識別部位置に対応しており、
前記両シートを分離した段階で、前記対応位置において、前記接合個所が前記識別部の連続性を分離するようにした請求項１記載の使い捨て吸収性物品。
【手続補正４】
【補正対象書類名】特許請求の範囲
【補正対象項目名】請求項３
【補正方法】変更
【補正の内容】
【請求項３】
少なくとも一部の前記接合個所は、前記識別部位置に対応しており、
前記両シートを分離した段階で、前記対応位置において、一方のシートが破断するとともに、前記識別部の連続性が分離するようにした請求項１記載の使い捨て吸収性物品。
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域内に、扉部材を開閉可能に備えた大入賞装置が設けられているとともに、遊技に係る動作を制御する制御装置とが設けられており、
前記制御装置は、所定の抽選条件が充足されると少なくとも１つの乱数から１つの数値を取得するとともに、当該取得数値にもとづき所定の大当たり条件が充足されると前記大入賞装置を断続的に開成させる大当たり状態を生起させる一方、
前記抽選条件の充足にもとづき取得した数値を保留情報として所定数まで記憶するとともに、前記保留情報を所定の順序で消化するパチンコ機であって、
前記制御装置は、前記保留情報を参照して前記大当たり条件が充足される特定保留情報が存在するか否かを確認する情報確認手段と、前記遊技領域内に設けられた表示部において前記特定保留情報が存在することを報知する確定演出の繰り返し回数を決定する回数決定手段とを有しており、
前記情報確認手段が、前記大当たり状態の終了後に消化される前記保留情報の中に、前記特定保留情報の存在を確認すると、前記回数決定手段が、前記繰り返し回数を前記特定保留情報の数を最大値とした範囲内で決定し、前記制御装置による制御のもと、前記大当たり状態中に、決定した前記繰り返し回数だけ前記確定演出が繰り返されることを特徴とするパチンコ機。
【請求項２】
前記表示部として、図柄を表示可能な図柄表示部が設けられており、
前記制御装置は、前記抽選条件が充足されると少なくとも２つの乱数から夫々１つの数値を取得するとともに、当該取得数値にもとづき少なくとも前記図柄の確定表示態様と前記図柄の変動時間とを決定し、前記図柄の変動を開始させた後、決定した変動時間が経過すると決定した確定表示態様で前記図柄を確定表示させ、前記図柄を所定の大当たり図柄表示態様にて確定表示させたことにもとづいて前記大当たり状態を生起させるパチンコ機であって、
前記特定保留情報が、前記図柄の表示態様が前記大当たり図柄表示態様となる保留情報であることを特徴とする請求項１に記載のパチンコ機。
【請求項３】
前記制御装置が、前記大当たり状態中における前記確定演出を繰り返すタイミングを決定するタイミング決定手段を有することを特徴とする請求項１又は２に記載のパチンコ機。
【手続補正２】
【補正対象書類名】明細書
【補正対象項目名】０００６
【補正方法】変更
【補正の内容】
【０００６】
上記目的を達成するために、本発明のうち請求項１に記載の発明は、遊技球が流下可能な遊技領域内に、扉部材を開閉可能に備えた大入賞装置が設けられているとともに、遊技に係る動作を制御する制御装置とが設けられており、前記制御装置は、所定の抽選条件が充足されると少なくとも１つの乱数から１つの数値を取得するとともに、当該取得数値にもとづき所定の大当たり条件が充足されると前記大入賞装置を断続的に開成させる大当たり状態を生起させる一方、前記抽選条件の充足にもとづき取得した数値を保留情報として所定数まで記憶するとともに、前記保留情報を所定の順序で消化するパチンコ機であって、前記制御装置は、前記保留情報を参照して前記大当たり条件が充足される特定保留情報が存在するか否かを確認する情報確認手段と、前記遊技領域内に設けられた表示部において前記特定保留情報が存在することを報知する確定演出の繰り返し回数を決定する回数決定手段とを有しており、前記情報確認手段が、前記大当たり状態の終了後に消化される前記保留情報の中に、前記特定保留情報の存在を確認すると、前記回数決定手段が、前記繰り返し回数を前記特定保留情報の数を最大値とした範囲内で決定し、前記制御装置による制御のもと、前記大当たり状態中に、決定した前記繰り返し回数だけ前記確定演出が繰り返されることを特徴とする。
請求項２に記載の発明は、請求項１に記載の発明において、前記表示部として、図柄を表示可能な図柄表示部が設けられており、前記制御装置は、前記抽選条件が充足されると少なくとも２つの乱数から夫々１つの数値を取得するとともに、当該取得数値にもとづき少なくとも前記図柄の確定表示態様と前記図柄の変動時間とを決定し、前記図柄の変動を開始させた後、決定した変動時間が経過すると決定した確定表示態様で前記図柄を確定表示させ、前記図柄を所定の大当たり図柄表示態様にて確定表示させたことにもとづいて前記大当たり状態を生起させるパチンコ機であって、前記特定保留情報が、前記図柄の表示態様が前記大当たり図柄表示態様となる保留情報であることを特徴とする。
請求項３に記載の発明は、請求項１又は２に記載の発明において、前記制御装置が、前記大当たり状態中における前記確定演出を繰り返すタイミングを決定するタイミング決定手段を有することを特徴とする。
【手続補正３】
【補正対象書類名】明細書
【補正対象項目名】０００７
【補正方法】変更
【補正の内容】
【０００７】
本発明によれば、情報確認手段が、今回の大当たり状態の終了後に消化される保留情報の中に、特定保留情報の存在を確認すると、制御装置による制御のもと、回数決定手段により決定した繰り返し回数だけ、特定保留情報が存在することを報知する確定演出が繰り返されるため、確定演出が繰り返された回数以上の数だけ「大当たり」である保留情報が存在することを遊技者に報知することができる。したがって、ただ単に「大当たり」である保留情報の有無しか報知しないものと比較して、遊技性の向上を図ることができる。
また、特定保留情報が存在する場合であっても、実際の存在数よりも少ない回数しか確定演出が繰り返されないといった状況も起こり得る。したがって、より多彩な遊技を遊技者に提供することができ、遊技性の更なる向上を図ることができる。
さらに、請求項３に記載の発明によれば、制御装置が、大当たり状態中における確定演出を繰り返すタイミングを決定するタイミング決定手段を有しているため、「大当たり状態」中において確定演出が繰り返されるタイミングが一様でない。したがって、極めて多彩な遊技を遊技者に提供することができ、遊技性の更なる向上を図ることができる。
【手続補正書】
【提出日】平成27年2月16日(2015.2.16)
【手続補正１】
【補正対象書類名】明細書
【補正対象項目名】００４３
【補正方法】変更
【補正の内容】
【００４３】
このような類似度Ｉｖ（ｘ，ｙ）を、第１の探索領域及び第２の探索領域内の各画素位置（第１の探索領域及び第２の探索領域内における全ての（ｘ、ｙ））について求める。なお、類似度の算出方法としては、この例で示した差の２乗和に限らず、差の絶対値和や、正規化相関など、既知のいかなる指標を用いてもよい。
【手続補正２】
【補正対象書類名】特許請求の範囲
【補正対象項目名】全文
【補正方法】変更
【補正の内容】
【特許請求の範囲】
【請求項１】
被検体に対してそれぞれ異なる角度から放射線を照射して撮影された該被検体の複数枚の投影画像を取得する手段と、
前記投影画像中の第１の投影画像における第１の画素と、前記第１の投影画像とは異なる第２の投影画像から前記角度の情報に基づいて得られた前記第１の画素に対応する第２の画素と、を得る手段と、
前記第１の画素と前記第２の画素とを前記角度の情報に基づき得られる重みで加算する手段と
を備えることを特徴とする情報処理装置。
【請求項２】
被検体に対してそれぞれ異なる角度から放射線を照射して撮影された該被検体の複数枚の投影画像を取得する手段と、
第１の投影画像中の着目画素を中心とする領域を第１の探索領域とし、該第１の探索領域内に該着目画素を中心とする領域を第１の判定領域として設定する手段と、
前記第１の投影画像とは異なる第２の投影画像から、前記着目画素と同対象が投影されている画素を特定し、該画素を中心とする領域を第２の探索領域として設定する設定手段と、
前記第１の探索領域及び前記第２の探索領域内の各画素について、該画素を中心とする領域と前記第１の判定領域とで画素値の類似度を求め、該類似度が大きいほど小さい値をとる重み値を用いて、該画素の画素値に対する重み付けを行う計算手段と、
前記第１の探索領域及び前記第２の探索領域内の各画素について前記計算手段が重み付けを行った画素値の合計値を用いて、前記着目画素の画素値を更新する更新手段と
を備えることを特徴とする情報処理装置。
【請求項３】
前記設定手段は、前記第１の投影画像を撮影したときの放射線の照射角度と、前記第２の投影画像を撮影したときの放射線の照射角度と、を用いて前記着目画素の画素位置を変換し、該変換した画素位置における画素を、前記着目画素の画素値と同対象が投影されている画素として特定することを特徴とする請求項２に記載の情報処理装置。
【請求項４】
前記設定手段は、前記第１の投影画像を撮影したときの放射線の照射角度と前記第２の投影画像を撮影したときの放射線の照射角度との差が大きいほど、よりサイズの小さい前記第２の探索領域を設定することを特徴とする請求項２又は３に記載の情報処理装置。
【請求項５】
前記計算手段は、前記第１の探索領域及び前記第２の探索領域内の各画素について、該画素と前記着目画素との間の距離が大きいほど小さい値をとる重み値を用いて、該画素の画素値に対する重み付けを行うことを特徴とする請求項２乃至４の何れか１項に記載の情報処理装置。
【請求項６】
更に、
前記更新手段により画素値が更新された前記複数枚の投影画像を用いて再構成処理を行うことで、前記被検体の断層像を生成する手段を備えることを特徴とする請求項２乃至５の何れか１項に記載の情報処理装置。
【請求項７】
情報処理装置が行う情報処理方法であって、
前記情報処理装置の投影画像を取得する手段が、被検体に対してそれぞれ異なる角度から放射線を照射して撮影された該被検体の複数枚の投影画像を取得する工程と、
前記情報処理装置の画素を取得する手段が、前記投影画像中の第１の投影画像における第１の画素と、前記第１の投影画像とは異なる第２の投影画像から前記角度の情報に基づいて得られた前記第１の画素に対応する第２の画素と、を得る工程と、
前記情報処理装置の加算手段が、前記第１の画素と前記第２の画素とを前記角度の情報に基づき得られる重みで加算する工程と
を備えることを特徴とする情報処理方法。
【請求項８】
情報処理装置が行う情報処理方法であって、
前記情報処理装置の取得手段が、被検体に対してそれぞれ異なる角度から放射線を照射して撮影された該被検体の複数枚の投影画像を取得する工程と、
前記情報処理装置の設定する手段が、第１の投影画像中の着目画素を中心とする領域を第１の探索領域とし、該第１の探索領域内に該着目画素を中心とする領域を第１の判定領域として設定する工程と、
前記情報処理装置の設定手段が、前記第１の投影画像とは異なる第２の投影画像から、前記着目画素と同対象が投影されている画素を特定し、該画素を中心とする領域を第２の探索領域として設定する設定工程と、
前記情報処理装置の計算手段が、前記第１の探索領域及び前記第２の探索領域内の各画素について、該画素を中心とする領域と前記第１の判定領域とで画素値の類似度を求め、該類似度が大きいほど小さい値をとる重み値を用いて、該画素の画素値に対する重み付けを行う計算工程と、
前記情報処理装置の更新手段が、前記第１の探索領域及び前記第２の探索領域内の各画素について前記計算工程で重み付けを行った画素値の合計値を用いて、前記着目画素の画素値を更新する更新工程と
を備えることを特徴とする情報処理方法。
【請求項９】
コンピュータを、請求項１乃至６の何れか１項に記載の情報処理装置の各手段として機能させるためのコンピュータプログラム。
【請求項１０】
被検体に対してそれぞれ異なる角度から放射線を照射する放射線撮影装置と、
該放射線撮影装置から照射され且つ該被検体を透過した放射線を複数の投影画像として取得する装置と、
前記投影画像中の第１の投影画像における第１の画素と、前記第１の投影画像とは異なる第２の投影画像から前記角度の情報に基づいて得られた前記第１の画素に対応する第２の画素と、を得る手段と、
前記第１の画素と前記第２の画素とを前記角度の情報に基づき得られる重みで加算する手段と
を有する情報処理装置と
を備えることを特徴とする放射線撮影システム。
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
めっきされていない第１表面を有する第１母材、拡散バリア層として機能する金属層、箔ろう材、及び第２表面を有する第２母材の順番に並ぶように且つ前記第１表面及び前記第２表面が互いに向かい合うように、前記第１母材、前記金属層、前記箔ろう材、及び前記第２母材を配置するステップと、
前記第１母材及び前記第２母材を前記箔ろう材を用いてろう付けするステップと
を具備し、
前記第１母材、前記金属層、前記箔ろう材、及び前記第２母材を配置する前記ステップは、前記第１母材、前記金属層、前記箔ろう材、及び前記第２母材をこの順番に接触させるステップを備え、
前記ろう付けするステップは、前記第１母材、前記金属層、前記箔ろう材、及び前記第２母材が接触した状態で加熱するステップを備える
ろう付方法。
【請求項２】
請求項１に記載のろう付方法であって、
前記第１母材、前記金属層、前記箔ろう材、及び前記第２母材を配置する前記ステップにおいて、前記第１母材及び前記第２母材の間に積層体を配置し、
前記積層体は、
前記箔ろう材と、
前記箔ろう材に結合した前記金属層と
を備える
ろう付方法。
【請求項３】
請求項２に記載のろう付方法であって、
前記積層体は複数であり、
前記第１母材、前記金属層、前記箔ろう材、及び前記第２母材を配置する前記ステップにおいて、前記複数の積層体が前記第１表面及び前記第２表面に沿って並べられる
ろう付方法。
【請求項４】
請求項２又は３に記載のろう付方法であって、
前記箔ろう材の表面に前記金属層を電気めっきにより形成して前記積層体を製造するステップを更に具備する
ろう付方法。
【請求項５】
請求項２又は３に記載のろう付方法であって、
前記箔ろう材の表面に前記金属層をスパッタリングにより形成して前記積層体を製造するステップを更に具備する
ろう付方法。
【請求項６】
請求項２又は３に記載のろう付方法であって、
前記金属層となるべき金属箔と前記箔ろう材とを圧着して前記積層体を製造するステップを更に具備する
ろう付方法。
【請求項７】
請求項１に記載のろう付方法であって、
前記第１母材、前記金属層、前記箔ろう材、及び前記第２母材を配置する前記ステップにおいて、前記金属層は金属箔である
ろう付方法。
【請求項８】
めっきされていない第１表面を有する第１母材、拡散バリア層として機能する金属層、箔ろう材、拡散バリア層として機能する他の金属層、及びめっきされていない第２表面を有する第２母材の順番に並ぶように且つ前記第１表面及び前記第２表面が互いに向かい合うように、前記第１母材、前記金属層、前記箔ろう材、前記他の金属層及び前記第２母材を配置するステップと、
前記第１母材及び前記第２母材を前記箔ろう材を用いてろう付けするステップと
を具備し、
前記第１母材、前記金属層、前記箔ろう材、前記他の金属層及び前記第２母材を配置する前記ステップは、前記第１母材、前記金属層、前記箔ろう材、前記他の金属層及び前記第２母材をこの順番に接触させるステップを備え、
前記ろう付けするステップは、前記第１母材、前記金属層、前記箔ろう材、前記他の金属層及び前記第２母材が接触した状態で加熱するステップを備え、
前記金属層は、前記他の金属層と成分が異なる
ろう付方法。
【請求項９】
めっきされていない第１表面を有する第１母材、拡散バリア層として機能する金属層、箔ろう材、及び第２表面を有する第２母材の順番に並ぶように且つ前記第１表面及び前記第２表面が互いに向かい合うように、前記第１母材、前記金属層、前記箔ろう材、及び前記第２母材を配置するステップと、
前記第１母材及び前記第２母材を前記箔ろう材を用いてろう付けするステップと
を具備する
ロケットエンジン燃焼室の製造方法。
【請求項１０】
請求項９に記載のロケットエンジン燃焼室の製造方法であって、
冷却流体が流れる流路となるべき溝部が前記第１表面に形成された
ロケットエンジン燃焼室の製造方法。
【手続補正書】
【提出日】平成27年1月30日(2015.1.30)
【手続補正１】
【補正対象書類名】特許請求の範囲
【補正対象項目名】請求項１
【補正方法】変更
【補正の内容】
【請求項１】
遊技中に第１抽選契機が発生すると、遊技者の利益に関わる第１内部抽選に必要な第１抽選要素を取得する第１抽選要素取得手段と、
遊技中に前記第１抽選契機とは別の第２抽選契機が発生すると、遊技者の利益に関わる第２内部抽選に必要な第２抽選要素を取得する第２抽選要素取得手段と、
前記第１抽選要素取得手段により取得された前記第１抽選要素を取得された順番に記憶する第１抽選要素記憶手段と、
前記第２抽選要素取得手段により取得された前記第２抽選要素を取得された順番に記憶する第２抽選要素記憶手段と、
前記第１抽選要素記憶手段により記憶されている前記第１抽選要素を消費して前記第１内部抽選を実行する第１内部抽選実行手段と、
前記第２抽選要素記憶手段により記憶されている前記第２抽選要素を消費して前記第２内部抽選を実行する第２内部抽選実行手段と、
前記第１抽選要素記憶手段により記憶が可能な前記第１抽選要素の数を第１の上限個数に設定する第１上限個数設定手段と、
前記第２抽選要素記憶手段により記憶が可能な前記第２抽選要素の数を第２上限個数に設定する第２上限個数設定手段と、
前記第１内部抽選実行手段により前記第１内部抽選が実行されると、所定の第１変動時間にわたって第１特別図柄を変動表示させた後に、前記第１内部抽選実行手段で決定された結果を表す態様で前記第１特別図柄を停止表示させる第１特別図柄表示手段と、
前記第２内部抽選実行手段により前記第２内部抽選が実行されると、所定の第２変動時間にわたって第２特別図柄を変動表示させた後に、前記第２内部抽選実行手段で決定された結果を表す態様で前記第２特別図柄を停止表示させる第２特別図柄表示手段と、
前記第１特別図柄表示手段により非当選以外の態様で前記第１特別図柄が停止表示された場合、又は、前記第２特別図柄表示手段により非当選以外の態様で前記第２特別図柄が停止表示された場合、規定期間にわたり特別な入賞の発生が不能な閉止状態から、前記特別な入賞の発生が可能な開放状態に変化する開放動作を行う可変入賞手段と、
前記第１特別図柄表示手段により前記第１特別図柄が変動表示される前記第１変動時間の長さに関して、第１基本変動パターン及び第１特殊変動パターンを含む複数種類の変動パターンを予め規定する第１変動パターン規定手段と、
前記第２特別図柄表示手段により前記第２特別図柄が変動表示される前記第２変動時間の長さに関して、第２基本変動パターン及び第２特殊変動パターンを含む複数種類の変動パターンを予め規定する第２変動パターン規定手段と、
前記第１特別図柄表示手段による前記第１特別図柄の変動表示の実行に際して、前記第１変動パターン規定手段により規定された複数種類の前記変動パターンの中からいずれかを選択する第１変動パターン選択手段と、
前記第２特別図柄表示手段による前記第２特別図柄の変動表示の実行に際して、前記第２変動パターン規定手段により規定された複数種類の前記変動パターンの中からいずれかを選択する第２変動パターン選択手段と、
前記第１変動パターン規定手段により規定された前記第１基本変動パターンが前記第１変動パターン選択手段により選択される条件にある場合、前記第２変動パターン規定手段により規定された前記第２特殊変動パターンのみを前記第２変動パターン選択手段により選択可能として設定し、又は、前記第２変動パターン規定手段により規定された前記第２特殊変動パターンが前記第２変動パターン選択手段により選択される条件にある場合、前記第１変動パターン規定手段により規定された前記第１基本変動パターンのみを前記第１変動パターン選択手段により選択可能として設定する通常時変動パターン選択設定手段と、
前記第２変動パターン規定手段により規定された前記第２基本変動パターンが前記第２変動パターン選択手段により選択される条件にある場合、前記第１変動パターン規定手段により規定された前記第１特殊変動パターンのみを前記第１変動パターン選択手段により選択可能として設定し、又は、前記第１変動パターン規定手段により規定された前記第１特殊変動パターンが前記第１変動パターン選択手段により選択される条件にある場合、前記第２変動パターン規定手段により規定された前記第２基本変動パターンのみを前記第２変動パターン選択手段により選択可能として設定する特殊時変動パターン選択設定手段と、
前記第２変動パターン選択手段により前記第２特殊変動パターンが選択された場合、前記第２特別図柄表示手段による前記第２特別図柄の前記第２変動時間にわたる変動表示を、前記第１特別図柄表示手段により前記非当選以外の態様で前記第１特別図柄が停止表示された時点で終了させる第２特別図柄表示終了手段と
を備えることを特徴とする遊技機。
【手続補正２】
【補正対象書類名】明細書
【補正対象項目名】００１７
【補正方法】変更
【補正の内容】
【００１７】
このように、本解決手段によれば、第２特別図柄に関する抽選要素の記憶を無制限にし、さらにその変動表示の変動時間を非常に長く規定（「特殊変動パターン」を規定）することで、特別遊技が行われていな状態にある場合、常に第２特別図柄に関する変動表示が行われている状態にしている。また、第２特別図柄に関する抽選要素の記憶の中の大当りに対応する変動表示が開始されるには、それまで記憶されている抽選要素を消化する必要がある。これらのことから、この第２特別図柄に関する変動表示は非常に長い時間に設定されているため、第１特別図柄の非当選以外の態様での停止表示を繰り返し行うことで、第２特別図柄に関する大当りの変動表示に到達することとなる。したがって、内部的に存在する大当りに、第１始動入賞口に入賞させて１変動ずつ近づいていくという新感覚の遊技性を提供することができる。
また、本発明の遊技機によれば、一方の特別図柄の変動表示を他方の非当選以外の態様で停止表示させ、変動表示を強制的に終了させるといった変動時間の短縮機能を利用しつつ、一方の特別図柄の内部抽選に必要な抽選要素を消費しつづけても記憶が途切れない数記憶させることで、新感覚の遊技性も提供することができる。
【手続補正３】
【補正対象書類名】明細書
【補正対象項目名】００２５
【補正方法】変更
【補正の内容】
【００２５】
本発明の遊技機によれば、新感覚の遊技性も提供することができる。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
脈波を測定する測定部位に照射され、前記測定部位を透過した光又は前記測定部位で反射した光の受光量を示す測定信号を出力する複数の受光部と、
前記複数の受光部の各々が出力する前記測定信号に対して、前記測定信号を複数の成分に分離し、当該複数の成分に対応する重み付け係数を算出する独立成分分析部と、
前記独立成分分析部によって算出された重み付け係数の値のばらつきの度合いを示す値を前記複数の成分の各々に関し算出するばらつき算出部と、
前記複数の成分のなかから、前記ばらつき算出部によって算出された前記ばらつきの度合いを示す値が予め定められた条件を満たす成分を特定する成分特定部と、
前記成分特定部により特定された成分により、脈波を表す脈波情報を生成する脈波情報生成部と
を具備することを特徴とする脈波測定装置。
【請求項２】
前記脈波情報生成部は、前記複数の受光部から出力される測定信号に対して前記独立成分分析部によって算出された重み付け係数を用いた演算を行うことによって、前記成分特定部により特定された成分を抽出し、抽出した成分に基づいて脈波を表す脈波情報を生成する
ことを特徴とする請求項１に記載の脈波測定装置。
【請求項３】
前記成分特定部は、前記ばらつき算出部によって算出された前記ばらつきの度合いを示す値が最も小さい成分を特定する
ことを特徴とする請求項２に記載の脈波測定装置。
【請求項４】
前記成分特定部は、前記ばらつき算出部によって算出された前記ばらつきの度合いを示す値が予め定められた範囲内である成分を特定する
ことを特徴とする請求項２に記載の脈波測定装置。
【請求項５】
前記脈波情報生成部は、前記成分特定部によって前記予め定められた条件を満たす成分が特定された場合に、前記特定された成分の和に基づいて前記脈波情報を生成する
ことを特徴とする請求項２又は４に記載の脈波測定装置。
【請求項６】
前記複数の受光部が出力する前記測定信号のなかから、前記成分特定部によって特定された成分に対応する前記重み付け係数の値が予め定められた条件を満たす前記測定信号を特定する測定信号特定部を更に具備し、
前記脈波情報生成部は、前記測定信号特定部によって特定された前記測定信号に基づいて、脈波を表す脈波情報を生成する
ことを特徴とする請求項１に記載の脈波測定装置。
【請求項７】
前記成分特定部は、前記ばらつき算出部によって算出された前記ばらつきの度合いを示す値が最も大きい成分を特定する
ことを特徴とする請求項６に記載の脈波測定装置。
【請求項８】
前記測定信号特定部は、前記成分特定部によって特定された成分に対応する前記重み付け係数の値が最も小さい前記測定信号を特定する
ことを特徴とする請求項７に記載の脈波測定装置。
【請求項９】
前記脈波情報生成部は、前記測定信号特定部によって特定された前記測定信号から、前記成分特定部によって特定された成分を除去し、該成分が除去された前記測定信号に基づいて、前記脈波情報を生成する
ことを特徴とする請求項６乃至８のいずれか１項に記載の脈波測定装置。
【請求項１０】
コンピューターに、
脈波を測定する測定部位に照射され、前記測定部位を透過した光又は前記測定部位で反射した光の受光量を示す測定信号を出力する複数の受光部から、当該測定信号を受け取るステップと、
前記複数の受光部の各々が出力する前記測定信号に対して、前記測定信号を複数の成分に分離し、当該複数の成分に対応する重み付け係数を算出する独立成分分析ステップと、
前記独立成分分析ステップにおいて算出された重み付け係数の値のばらつきの度合いを示す値を前記複数の成分の各々に関し算出するばらつき算出ステップと、
前記複数の成分のなかから、前記ばらつき算出ステップにおいて算出された前記ばらつきの度合いを示す値が予め定められた条件を満たす成分を特定する成分特定ステップと、
前記成分特定ステップにおいて特定された成分により、脈波を表す脈波情報を生成する脈波情報生成ステップと
を実行させるためのプログラム。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
ロボットに移動され被把持物を把持するロボットハンドであって、
前記被把持物を載置する棒状の複数の載置部と、
前記載置部と対を成し前記被把持物の側面を押える押え部と、
前記載置部を移動して複数の前記載置部の間隔を調整し、前記押え部を移動して前記被把持物に接触させる間隔調整部と、
対を成す前記載置部と前記押え部との距離である載置部押え部間距離を検出する検出部と、を備えることを特徴とするロボットハンド。
【請求項２】
請求項１に記載のロボットハンドであって、
複数の前記載置部及び前記押え部の対における前記載置部押え部間距離が同じ距離となるように前記載置部を制御する制御部をさらに備えることを特徴とするロボットハンド。
【請求項３】
請求項１または２に記載のロボットハンドであって、
前記検出部はエンコーダーを有し、前記エンコーダーにより前記載置部押え部間距離を検出することを特徴とするロボットハンド。
【請求項４】
請求項１または２に記載のロボットハンドであって、
前記検出部は測長器を有し、前記測長器により前記載置部押え部間距離を検出することを特徴とするロボットハンド。
【請求項５】
ロボットハンドを備えたロボットであって、
前記ロボットハンドが請求項１〜４のいずれか一項に記載のロボットハンドであることを特徴とするロボット。
【手続補正２】
【補正対象書類名】明細書
【補正対象項目名】発明の名称
【補正方法】変更
【補正の内容】
【発明の名称】ロボットハンドおよびロボット
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
被記録媒体に記録を行う記録ヘッドと、
前記記録ヘッドによって記録された前記被記録媒体を挟持しながら搬送して排出する排紙ローラー対と、
前記記録ヘッドおよび前記排紙ローラー対を格納する筐体と、
前記筐体に設けられ、前記排紙ローラー対によって前記被記録媒体が排出される排出口と、
前記排紙ローラー対のうち、前記被記録媒体の前記記録ヘッドによって記録された面の側と接するローラーを支持するローラー支持部材と、
を備え、
前記ローラー支持部材は、前記ローラー支持部材に鉛直方向における上方に向かう外力が加えられた際に、前記排出口の上縁部と当接する、
ことを特徴とする記録装置。
【請求項２】
請求項１に記載の記録装置であって、
前記ローラー支持部材は、前記筐体または前記ローラー支持部材に鉛直方向の外力が作用しない状態において前記排出口の前記上縁部と離間した状態にある、
ことを特徴とする記録装置。
【請求項３】
請求項１又は請求項２に記載の記録装置であって、
前記ローラー支持部材は、前記ローラー支持部材に鉛直方向における上方に向かう外力が加えられた際に、前記排出口の上縁部と当接する突部を有する、
ことを特徴とする記録装置。
【請求項４】
請求項３に記載の記録装置であって、
前記ローラー支持部材の前記突部は、前記排紙ローラー対により前記被記録媒体が排出される方向と交差する方向である幅方向に延びており、前記ローラー支持部材に鉛直方向における上方に向かう外力が加えられた際に、前記排出口の前記上縁部における前記幅方向の少なくとも一部と当接する、
ことを特徴とする記録装置。
【請求項５】
請求項１から請求項４のいずれか一項に記載の記録装置であって、
前記ローラーが、前記ローラー支持部材に取り付けられる取付部材を介して間接的に前記ローラー支持部材に支持される、
ことを特徴とする記録装置。
【手続補正２】
【補正対象書類名】明細書
【補正対象項目名】０００９
【補正方法】変更
【補正の内容】
【０００９】
本発明の第１の態様の記録装置は、被記録媒体に記録を行う記録ヘッドと、前記記録ヘッドによって記録された前記被記録媒体を挟持しながら搬送して排出する排紙ローラー対と、前記記録ヘッドおよび前記排紙ローラー対を格納する筐体と、前記筐体に設けられ、前記排紙ローラー対によって前記被記録媒体が排出される排出口と、前記排紙ローラー対のうち、前記被記録媒体の前記記録ヘッドによって記録された面の側と接するローラーを支持するローラー支持部材と、を備え、前記ローラー支持部材は、前記ローラー支持部材に鉛直方向における上方に向かう外力が加えられた際に、前記排出口の上縁部と当接することを特徴とする。
【手続補正３】
【補正対象書類名】明細書
【補正対象項目名】００１０
【補正方法】変更
【補正の内容】
【００１０】
本態様によれば、記録装置の外観を構成する筐体に排出口が形成されていると、梱包箱から装置を取り出す際にユーザーが前記排出口に手を差し入れ易く、その結果、前記ローラー支持部材に手を掛けて装置を持ち上げる虞がある。しかしながら、当該ローラー支持部材に鉛直方向における上方に向かう外力が加えられた際に、前記排出口の上縁部と当接するので、前記ローラー支持部材の変形を規制でき、これにより前記排紙ローラー対の機能が損なわれることを防止することができる。
【手続補正４】
【補正対象書類名】明細書
【補正対象項目名】００１１
【補正方法】変更
【補正の内容】
【００１１】
本発明の第２の態様の記録装置は、第１の態様であって、前記ローラー支持部材は、前記筐体または前記ローラー支持部材に鉛直方向の外力が作用しない状態において前記排出口の前記上縁部と離間した状態にあることを特徴とする。
【手続補正５】
【補正対象書類名】明細書
【補正対象項目名】００１２
【補正方法】変更
【補正の内容】
【００１２】
本態様によれば、前記ローラー支持部材は、前記筐体または前記ローラー支持部材に鉛直方向の外力が作用しない状態において前記排出口の前記上縁部と離間した状態にあるので、通常使用時に前記ローラー支持部材が前記筐体から影響を受けない。即ち、通常使用時に前記ローラー支持部材が前記排出口の前記上縁部と当接していると、前記ローラー支持部材つまり前記ローラーの位置精度に悪影響が生じる虞がある。しかしながら、前記ローラー支持部材は、当該ローラー支持部材に前記筐体または前記ローラー支持部材に鉛直方向の外力が作用しない状態において離間した状態にあるので、前記ローラーを適切な位置に位置決めすることができる。
【手続補正６】
【補正対象書類名】明細書
【補正対象項目名】００１３
【補正方法】変更
【補正の内容】
【００１３】
本発明の第３の態様は、第１又は第２の態様であって、前記ローラー支持部材は、前記ローラー支持部材に鉛直方向における上方に向かう外力が加えられた際に、前記排出口の上縁部と当接する突部を有することを特徴とする。
本態様によれば、第１の態様と同様な効果を得ることができる。
【手続補正７】
【補正対象書類名】明細書
【補正対象項目名】００１４
【補正方法】変更
【補正の内容】
【００１４】
本発明の第４の態様は、第３の態様であって、前記ローラー支持部材の前記突部は、前記排紙ローラー対により前記被記録媒体が排出される方向と交差する方向である幅方向に延びており、前記ローラー支持部材に鉛直方向における上方に向かう外力が加えられた際に、前記排出口の前記上縁部における前記幅方向の少なくとも一部と当接することを特徴とする。
【手続補正８】
【補正対象書類名】明細書
【補正対象項目名】００１５
【補正方法】変更
【補正の内容】
【００１５】
本態様によれば、前記ローラー支持部材の前記突部は、前記排紙ローラー対により前記被記録媒体が排出される方向と交差する方向である幅方向に延びており、前記ローラー支持部材に鉛直方向における上方に向かう外力が加えられた際に、前記排出口の前記上縁部における前記幅方向の少なくとも一部と当接するので、前記ローラー支持部材の変形を規制でき、これにより前記排紙ローラー対の機能が損なわれることを防止することができる。
【手続補正９】
【補正対象書類名】明細書
【補正対象項目名】００１６
【補正方法】変更
【補正の内容】
【００１６】
本発明の第５の態様は、第１から第４の態様のいずれか一つの態様であって、前記ローラーが、前記ローラー支持部材に取り付けられる取付部材を介して間接的に前記ローラー支持部材に支持されることを特徴とする。
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
被記録媒体に形成された記録画像を保護するためのインクジェット記録画像用の保護フィルムであって、基材フィルム上にインク受容層と接着層とが積層されてなり、前記インク受容層は親水性樹脂を主体とする樹脂組成物よりなり、前記接着層は、熱可塑性樹脂もしくは粘着性樹脂を主体とする樹脂組成物よりなり、かつ、前記インク受容層が部分的に露出した状態で設けられていることを特徴とするインクジェット記録画像用の保護シート。
【請求項２】
前記インク受容層の表面の一部に、不連続の格子状もしくはドット形状を有する有効厚みが０．２〜５μｍの接着層が積層されて、インク受容層が部分的に露出した状態で接着層が形成されている請求項１に記載のインクジェット記録画像用の保護シート。
【請求項３】
前記接着層の前記インク受容層に対する面積比率が、３０％〜８０％である請求項１又は２に記載のインクジェット記録画像用の保護シート。
【請求項４】
前記親水性樹脂が、ビニルアルコールのアセタール化合物を含む単量体を重合してなる樹脂、セルロース系樹脂、ポリビニルピロリドン系樹脂、ポリビニルアルコール系樹脂およびポリアミド系樹脂よりなる群より選ばれる少なくとも１種である請求項１〜３のいずれか１項に記載のインクジェット記録画像用の保護シート。
【請求項５】
前記インク受容層は、記録インクと接触して吸収する際に起きるインク滲み率の程度が、インクジェット記録画像が形成された被記録媒体を構成しているインク受容層と同じかもしくは同程度である請求項１〜４のいずれか１項に記載のインクジェット記録画像用の保護シート。
【請求項６】
前記被記録媒体が、多孔性合成樹脂フィルムを用いたキャストコート紙である請求項１〜５のいずれか１項に記載のインクジェット記録画像用の保護シート。
【請求項７】
前記基材フィルムのインク受容層と接着層とが積層されている面の反対側に、親水性樹脂を主体とする樹脂組成物よりなるインク受容層が形成されている請求項１〜６のいずれか１項に記載のインクジェット記録画像用の保護シート。
【手続補正書】
【提出日】平成27年7月24日(2015.7.24)
【手続補正１】
【補正対象書類名】特許請求の範囲
【補正対象項目名】請求項４
【補正方法】変更
【補正の内容】
【請求項４】
前記サッシ用熱膨張性多層枠材が、長手方向に空洞を有し、
前記空洞の内壁面の一部または全部が、前記熱膨張性樹脂組成物層により形成されている、請求項３に記載のサッシ用熱膨張性多層枠材。
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
エンジン(11)の排ガスを浄化する排ガス浄化装置において、
前記エンジン(11)の排気管(15)に設けられ排ガス中のＮＯｘをＮ2に還元可能な選択還元型触媒(12)と、
尿素水(13)をヒータ(14b,64b,84a)により加熱してアンモニア水に改質する尿素水改質器(14,64,84)と、
前記尿素水改質器(14,64,84)に前記尿素水(13)を供給する尿素水供給手段(16)と、
前記選択還元型触媒(12)より排ガス上流側の排気管(15)に臨み前記尿素水改質器(14,64,84)で改質されたアンモニア水又は前記尿素水改質器(14,64,84)で改質されずにそのまま通過した尿素水のいずれか一方又は双方を噴射可能な噴射ノズル(17)と、
前記選択還元型触媒(12)に関係する排ガス温度を検出する触媒温度センサ(33)と、
前記尿素水改質器(14)の入口圧力を検出する圧力センサ(34)と、
前記触媒温度センサ(33)及び前記圧力センサ(34)の各検出出力に基づいて前記ヒータ(14b,64b,84a)及び前記尿素水供給手段(16)を制御するコントローラ(38)と
を備えたことを特徴とする排ガス浄化装置。
【請求項２】
前記尿素水改質器(14,64)が、筒状の改質ケース(14a,64a)と、この改質ケース(14a,64a)の外周面に螺旋状に巻回されたヒータ(14b,64b)と、この改質ケース(14a,64a)に充填され前記ヒータ(14b,64b)の熱を前記改質ケース(14a,64a)の内部に伝達する複数の無機質多孔質体(14c,64c)とを有する請求項１記載の排ガス浄化装置。
【請求項３】
前記改質ケース(64a)内にこのケースの長手方向に所定の間隔をあけて仕切板(64f)が設けられ、前記仕切板(64f)により前記改質ケース(64a)内が互いに連通する複数の空間に区画され、前記複数の空間に前記複数の無機質多孔質体(64c)が充填され、更に前記改質ケース(64a)に流入した尿素水が前記複数の空間を蛇行しながら通過して前記アンモニア水に改質されるように構成された請求項２記載の排ガス浄化装置。
【請求項４】
前記無機質多孔質体(14c,64c)に前記尿素水(13)の加水分解を促進する触媒が担持された請求項２又は３記載の排ガス浄化装置。
【請求項５】
前記尿素水改質器(84)が、棒状のヒータ(84a)と、前記ヒータ(84a)の外周面に螺旋状に巻回され前記尿素水が流通しかつ前記ヒータ(84a)の熱を内面に伝達する還元剤流通管(84b)と、前記還元剤流通管(84b)の内周面にコーティングされ前記尿素水を吸着する吸着剤層(84c)とを有する請求項１記載の排ガス浄化装置。
【請求項６】
前記吸着剤層(84c)に前記尿素水の加水分解を促進する触媒が担持された請求項５記載の排ガス浄化装置。
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
シートを処理し、かつ移動可能な処理手段と、
移動する前記処理手段を支持する支持台と、
前記処理手段に設けられて、前記処理手段の処理動作によって生じる処理物を収容して排出可能な第１の収容部と、
前記第１の収容部から排出される前記処理物を受け取る第２の収容部と、
前記第１の収容部が、前記処理物を前記第２の収容部に排出するための位置に位置する際に、前記処理手段が落ち込む凹部と、を備え、
前記支持台は、前記処理手段が前記凹部に落ち込んだ状態から脱出する方向に関して、下り傾斜している、
ことを特徴とするシート処理装置。
【請求項２】
前記第１の収容部は、下向きの処理物排出口が形成されて前記処理物を収容する収容箱と、前記処理物排出口を開閉可能な蓋とを有し、
前記蓋は、前記処理手段が前記凹部に移動したとき、固定部材に接触して、前記処理物排出口を開く、
ことを特徴とする請求項１に記載のシート処理装置。
【請求項３】
前記処理手段は、前記処理手段を支持して前記支持台を転動し、前記凹部に落ち込むローラを有している、
ことを特徴とする請求項１又は２に記載のシート処理装置。
【請求項４】
シートに画像を形成する画像形成部と、
シートを処理する請求項１乃至３のいずれか１項に記載のシート処理装置と、を備えた、
ことを特徴とする画像形成装置。
【手続補正２】
【補正対象書類名】明細書
【補正対象項目名】００１０
【補正方法】変更
【補正の内容】
【００１０】
本発明のシート処理装置は、シートを処理し、かつ移動可能な処理手段と、移動する前記処理手段を支持する支持台と、前記処理手段に設けられて、前記処理手段の処理動作によって生じる処理物を収容して排出可能な第１の収容部と、前記第１の収容部から排出される前記処理物を受け取る第２の収容部と、前記第１の収容部が、前記処理物を前記第２の収容部に排出するための位置に位置する際に、前記処理手段が落ち込む凹部と、を備え、前記支持台は、前記処理手段が前記凹部に落ち込んだ状態から脱出する方向に関して、下り傾斜している、ことを特徴としている。